(57)【要約】【解決課題】本発明は、１０３本のカラーボトルとカーネーションの花又はバラの花、チューリップの花等その他の各種の花とを関連させて人のセラピーを行うカラーセラピーの手法に関する発明を提供することを目的とするものである。【解決手段】本発明であるカラーセラピーの手法は、上記の課題を解決するために、カラーセラピーに用いられる多色のカラーボトルの中の複数のカラーボトル及び前記複数のカラーボトルが有するメッセージをカーネーションの花の色及び前記カーネーションが有するメッセージとを対応させることにより、特定のカーネーションの色を選択した人のセラピーを行うことを特徴とするカラーセラピーの手法の構成及び前記カラーセラピーの手法により選択されたカーネーションの花を束ねてリボンを使用して包装し、ＣＤ−ＲＯＭを取り付けた収納ケースに収納したことを特徴とする販売商品の構成とした。【選択図】　図１
2004065573.tif 000002
【特許請求の範囲】
【請求項１】
カラーセラピーに用いられる多色のカラーボトルの中の複数のカラーボトル及び前記複数のカラーボトルが有するメッセージをカーネーションの花の色及び前記カーネーションが有するメッセージとを対応させることにより、特定のカーネーションの色を選択した人のセラピーを行うことを特徴とするカラーセラピーの手法。
【請求項２】
請求項１のカラーセラピーの手法により選択されたカーネーションの花を束ねてリボンを使用して包装し、ＣＤ−ＲＯＭを取り付けた収納ケースに収納したことを特徴とする販売商品。
【発明の詳細な説明】
【０００１】
【発明が属する技術分野】
本発明は、１０３本のカラーボトルとカーネーションの花又はバラの花、チューリップの花等その他の各種の花とを関連させて人のセラピーを行うカラーセラピーの手法に関する発明である。
【０００２】
【従来の技術】
従来のオーラソーマによるカラーセラピーは、日常の生活の中に「色」を取り入れて、身体や心に安らぎを与え、バランスのとれた健康な状態を取り戻そうとする方法である。
【０００３】
【発明が解決しようとする課題】
しかしながら、従来のカラーセラピーは、上下二層の色彩に分かれた１０３本のカラーボトルを光が透過するように展示すると二層に分かれた色が神秘的に輝き、この神秘的に輝くカラーボトルの色彩を見て選択することにより、１０３本のカラーボトルとその１０３本のカラーボトルを選択する人との相対的関係により安らぎを得る手法を見い出すのであり、カラーセラピーにより安らぎを得る者にとっては、単純なカラーセラピーであるために変化のあるカラーセラピーを求めている。
【０００４】
そこで、本発明では、カラーセラピーに用いられる１０３本のカラーボトルの中の１４本のカラーボトルとをカーネーションのカラーとを関連させることによりカラーセラピーを行い、カーネーションのカラーを取り込み変化に富んだカラーセラピーを行う手法を提供することを目的とするものである。
【０００５】
【課題を解決するための手段】
本発明であるカラーセラピーの手法は、上記の課題を解決するために、カラーセラピーに用いられる多色のカラーボトルの中の複数のカラーボトル及び前記複数のカラーボトルが有するメッセージをカーネーションの花の色及び前記カーネーションが有するメッセージとを対応させることにより、特定のカーネーションの色を選択した人のセラピーを行うことを特徴とするカラーセラピーの手法の構成及び前記カラーセラピーの手法により選択されたカーネーションの花を束ねてリボンを使用して包装し、ＣＤ−ＲＯＭを取り付けた収納ケースに収納したことを特徴とする販売商品の構成とした。
【０００６】
【実施例】
以下に、添付図面に基づき本発明であカラーセラピーの手法、即ち、オーラソーマ（商標）に用いられる１０３本のカラーボトルのカラーとカーネーションが有するカラーとを関連付けて、特定の色彩のカーネーションを選択した者に安らぎを与える手法について詳細に説明する。
【０００７】
ここで、カラーセラピーであるオーラソーマ（商標）とは、日常の生活の中に「色」を取り入れて、身体や心の安らぎを与え、バランスのとれた健康な状態を取り戻すという癒しの手法である。
【０００８】
図１から図１４までは、本発明であるカラーセラピーの手法をカーネーションの花の色とカラーセラピーに用いられる１０３本のカラーボトルに付加されているメッセージに、カーネーションとの関係で新たに付加したメッセージとをパターン化した図を示したものである。
【０００９】
図１は、本発明であるカラーセラピーの手法を示し、Ｒｅｄ／レッドの色彩のカーネーションとカラーボトルとの関係を示した図である。
【００１０】
図１に示すように、本発明であるカラーセラピーの手法１は、ある人が、Ｒｅｄ／レッド１ａの色彩のカーネーション１ｂを選択した場合には、当該Ｒｅｄ／レッド１ａに相当する１０３本の中からカラーボトル１ｃのＮｏ．６で「Ｔｈｅ　Ｅｎｅｒｇｙ　Ｂｏｔｔｌｅ／エナジーボトル」であるカラーボトル名１ｄを対応させる。
【００１１】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトルには、その色に当てはまるメッセージがある。
【００１２】
そして、前記カラーボトル１ｃのＮｏ．６で「Ｔｈｅ　Ｅｎｅｒｇｙ　Ｂｏｔｔｌｅ／エナジーボトル」（図１５〜図１８に示したカラーボトル中の「６」に該当する。）であるカラーボトル名１ｄを当てはめたカラーボトル１ｃのメッセージ１ｅは、「情熱・生命・エネルギー」である。
【００１３】
そして、Ｒｅｄ／レッド１ａのカーネーション１ｂとＮｏ．６の「Ｔｈｅ　ＥｎｅｒｇｙＢｏｔｔｌｅ／エナジーボトル」のカラーボトル名１ｄとがプラスして付加したカーネーション１ｂのメッセージ１ｆは、「エネルギ−を”かたち”に変えましょう。」のメッセージである。
【００１４】
図１９に示すように、このようなカラーボトル１５中のＲｅｄ／レッド１ａとその色に該当するカラーボトル１５に与えられている「メッセージ」１ｅ及びＲｅｄ／レッド１ａに該当する色のカーネーション１ｂに与えられているメッセージ１ｆは決定されている。
【００１５】
このようにして、Ｒｅｄ／レッド１ａに相当するカーネーション１ｂを選択し購入した人は、その日の行動を「エネルギ−を”かたち”に変えましょう。」というメッセージ１ｆに従って行動する。
【００１６】
そのメッセージ１ｆである「エネルギ−を”かたち”に変えましょう。」通りに行動がなされた時には、Ｒｅｄ／レッド１ａに相当するカーネーションを購入した人の心が癒されるとともに安心感及び満足感が得られることになり、色に基づくセラピーが達成されるのである。
【００１７】
図２は、本発明であるカラーセラピーの手法を示し、Ｐｉｎｋ／ピンクの色彩のカーネーションとカラーボトルとの関係を示した図である。
【００１８】
図２に示すように、本発明であるカラーセラピーの手法２は、ある人が、Ｐｉｎｋ／ピンク２ａの色彩のカーネーション２ｂを選択した場合には、当該Ｐｉｎｋ／ピンク２ａに相当する１０３本の中からカラーボトル２ｃのＮｏ．８１で「Ｕｎｃｏｎｄｉｔｉｏｎａｌ　Ｌｏｖｅ／無条件の愛」であるカラーボトル名２ｄを対応させる。
【００１９】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトルには、その色に当てはまるメッセージがある。
【００２０】
そして、前記カラーボトル２ｃのＮｏ．８１で「Ｕｎｃｏｎｄｉｔｉｏｎａｌ　Ｌｏｖｅ／無条件の愛」（図１５〜図１８に示したカラーボトル中の「８１」に該当する。）であるカラーボトル名２ｄを当てはめたカラーボトル２ｃのメッセージ２ｅは、「豊かさ・優しさ・自分自身の思いやり」である。
【００２１】
そして、Ｐｉｎｋ／ピンク２ａのカーネーション２ｂとＮｏ．８１の「Ｕｎｃｏｎｄｉｔｉｏｎａｌ　Ｌｏｖｅ／無条件の愛」のカラーボトル名２ｄとがプラスして付加したカーネーション２ｂのメッセージ２ｆは、「優しい気持ちになって”愛”を感じましょう。」のメッセージである。
【００２２】
図１９に示すように、このようなカラーボトル１５中のＰｉｎｋ／ピンク２ａとその色に該当するカラーボトル１５に与えられている「メッセージ」２ｅ及びＰｉｎｋ／ピンク２ａに該当する色のカーネーション２ｂに与えられているメッセージ２ｆは決定されている。
【００２３】
このようにして、Ｐｉｎｋ／ピンク２ａに相当するカーネーション２ｂを選択し購入した人は、その日の行動を「優しい気持ちになって”愛”を感じましょう。」というメッセージ２ｆに従って行動する。
【００２４】
そのメッセージ２ｆである「優しい気持ちになって”愛”を感じましょう。」通りに行動がなされた時には、Ｐｉｎｋ／ピンク２ａに相当するカーネーションを購入した人の心が癒されるとともに安心感及び満足感が得られることになり、色に基づくセラピーが達成されるのである。
【００２５】
図３は、本発明であるカラーセラピーの手法を示し、Ｃｏｒａｌ／コーラルの色彩のカーネーションとカラーボトルとの関係を示した図である。
【００２６】
図３に示すように、本発明であるカラーセラピーの手法３は、ある人が、Ｃｏｒａｌ／コーラル３ａの色彩のカーネーション３ｂを選択した場合には、当該Ｃｏｒａｌ／コーラル３ａに相当する１０３本の中からカラーボトル３ｃのＮｏ．８７で「Ｔｈｅ　Ｗｉｓｄｏｍ　ｏｆ　Ｌｏｖｅ／愛の知恵」であるカラーボトル名３ｄを対応させる。
【００２７】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトルには、その色に当てはまるメッセージがある。
【００２８】
そして、前記カラーボトル３ｃのＮｏ．８７で「Ｔｈｅ　Ｗｉｓｄｏｍ　ｏｆ　Ｌｏｖｅ／愛の知恵」（図１５〜図１８に示したカラーボトル中の「８７」に該当する。）であるカラーボトル名３ｄを当てはめたカラーボトル３ｃのメッセージ３ｅは、「愛と知恵・気づくこと」である。
【００２９】
そして、Ｃｏｒａｌ／コーラル３ａのカーネーション３ｂとＮｏ．８７の「Ｔｈｅ　Ｗｉｓｄｏｍ　ｏｆ　Ｌｏｖｅ／愛の知恵」のカラーボトル名３ｄとがプラスして付加したカーネーション３ｂのメッセージ３ｆは、「すべてのことが繰り返され自分に返ってくる。」のメッセージである。
【００３０】
図１９に示すように、このようなカラーボトル１５中のＣｏｒａｌ／コーラル３ａとその色に該当するカラーボトル１５に与えられている「メッセージ」３ｅ及びＣｏｒａｌ／コーラル３ａに該当する色のカーネーション３ｂに与えられているメッセージ３ｆは決定されている。
【００３１】
このようにして、Ｃｏｒａｌ／コーラル３ａに相当するカーネーション３ｂを選択し購入した人は、その日の行動を「すべてのことが繰り返され自分に返ってくる。」というメッセージ３ｆに従って行動する。
【００３２】
そのメッセージ３ｆである「すべてのことが繰り返され自分に返ってくる。
」通りに行動がなされた時には、Ｃｏｒａｌ／コーラル３ａに相当するカーネーションを購入した人の心が癒されるとともに安心感及び満足感が得られることになり、色に基づくセラピーが達成されるのである。
【００３３】
図４は、本発明であるカラーセラピーの手法を示し、Ｏｒａｎｇｅ／オレンジの色彩のカーネーションとカラーボトルとの関係を示した図である。
【００３４】
図４に示すように、本発明であるカラーセラピーの手法４は、ある人が、Ｏｒａｎｇｅ／オレンジ４ａの色彩のカーネーション４ｂを選択した場合には、当該Ｏｒａｎｇｅ／オレンジ４ａに相当する１０３本の中からカラーボトル４ｃのＮｏ．２６で「Ｈｕｍｐｔｙ　Ｄｕｍｐｔｙ／ハンプティ・ダンプティ」であるカラーボトル名４ｄを対応させる。
【００３５】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトルには、その色に当てはまるメッセージがある。
【００３６】
そして、前記カラーボトル４ｃのＮｏ．２６で「Ｈｕｍｐｔｙ　Ｄｕｍｐｔｙ／ハンプティ・ダンプティ」（図１５〜図１８に示したカラーボトル中の「２６」に該当する。）であるカラーボトル名４ｄを当てはめたカラーボトル４ｃのメッセージ４ｅは、「太陽・歓喜・至福」である。
【００３７】
そして、Ｏｒａｎｇｅ／オレンジ４ａのカーネーション４ｂとＮｏ．２６の「Ｈｕｍｐｔｙ　Ｄｕｍｐｔｙ／ハンプティ・ダンプティ」のカラーボトル名４ｄとがプラスして付加したカーネーション４ｂのメッセージ４ｆは、「太陽の光を浴びて目標を見つけましょう。」のメッセージである。
【００３８】
図１９に示すように、このようなカラーボトル１５中のＯｒａｎｇｅ／オレンジ４ａとその色に該当するカラーボトル１５に与えられている「メッセージ」４ｅ及びＯｒａｎｇｅ／オレンジ４ａに該当する色のカーネーション４ｂに与えられているメッセージ４ｆは決定されている。
【００３９】
このようにして、Ｏｒａｎｇｅ／オレンジ４ａに相当するカーネーション４ｂを選択し購入した人は、その日の行動を「太陽の光を浴びて目標を見つけましょう。」というメッセージ４ｆに従って行動する。
【００４０】
そのメッセージ４ｆである「太陽の光を浴びて目標を見つけましょう。」通りに行動がなされた時には、Ｏｒａｎｇｅ／オレンジ４ａに相当するカーネーションを購入した人の心が癒されるとともに安心感及び満足感が得られることになり、色に基づくセラピーが達成されるのである。
【００４１】
図５は、本発明であるカラーセラピーの手法を示し、Ｇｏｌｄ／ゴールドの色彩のカーネーションとカラーボトルとの関係を示した図である。
【００４２】
図５に示すように、本発明であるカラーセラピーの手法５は、ある人が、Ｇｏｌｄ／ゴールド５ａの色彩のカーネーション５ｂを選択した場合には、当該Ｇｏｌｄ／ゴールド５ａに相当する１０３本の中からカラーボトル５ｃのＮｏ．４１で「ＥＬ　ｄ’Ｏｒａｄｏ／エルドラド（黄金郷）」であるカラーボトル名５ｄを対応させる。
【００４３】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトルには、その色に当てはまるメッセージがある。
【００４４】
そして、前記カラーボトル５ｃのＮｏ．４１で「ＥＬ　ｄ’Ｏｒａｄｏ／エルドラド（黄金郷）」（図１５〜図１８に示したカラーボトル中の「４１」に該当する。）であるカラーボトル名５ｄを当てはめたカラーボトル５ｃのメッセージ５ｅは、「悟り・歓び・価値」である。
【００４５】
そして、Ｇｏｌｄ／ゴールド５ａのカーネーション５ｂとＮｏ．４１の「ＥＬ　ｄ’Ｏｒａｄｏ／エルドラド（黄金郷）」のカラーボトル名５ｄとがプラスして付加したカーネーション５ｂのメッセージ５ｆは、「自分に自信を持って頑張りましょう。」のメッセージである。
【００４６】
図１９に示すように、このようなカラーボトル１５中のＧｏｌｄ／ゴールド５ａとその色に該当するカラーボトル１５に与えられている「メッセージ」５ｅ及びＧｏｌｄ／ゴールド５ａに該当する色のカーネーション５ｂに与えられているメッセージ５ｆは決定されている。
【００４７】
このようにして、Ｇｏｌｄ／ゴールド５ａに相当するカーネーション５ｂを選択し購入した人は、その日の行動を「自分に自信を持って頑張りましょう。」というメッセージ５ｆに従って行動する。
【００４８】
そのメッセージ５ｆである「自分に自信を持って頑張りましょう。」通りに行動がなされた時には、Ｇｏｌｄ／ゴールド５ａに相当するカーネーションを購入した人の心が癒されるとともに安心感及び満足感が得られることになり、色に基づくセラピーが達成されるのである。
【００４９】
図６は、本発明であるカラーセラピーの手法を示し、Ｙｅｌｌｏｗ／イエローの色彩のカーネーションとカラーボトルとの関係を示した図である。
【００５０】
図６に示すように、本発明であるカラーセラピーの手法６は、ある人が、Ｙｅｌｌｏｗ／イエロー６ａの色彩のカーネーション６ｂを選択した場合には、当該Ｙｅｌｌｏｗ／イエロー６ａに相当する１０３本の中からカラーボトル６ｃのＮｏ．４２で「Ｈａｒｖｅｓｔ／ハーベスト（収穫）」であるカラーボトル名６ｄを対応させる。
【００５１】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に当てはまるメッセージがある。
【００５２】
そして、前記カラーボトル６ｃのＮｏ．４２で「Ｈａｒｖｅｓｔ／ハーベスト（収穫）」（図１５〜図１８に示したカラーボトル中の「４２」に該当する。）であるカラーボトル名６ｄを当てはめたカラーボトル６ｃのメッセージ６ｅは、「光・収穫・個人の意志」である。
【００５３】
そして、Ｙｅｌｌｏｗ／イエロー６ａのカーネーション６ｂとＮｏ．４２の「Ｈａｒｖｅｓｔ／ハーベスト（収穫）」のカラーボトル名６ｄとがプラスして付加したカーネーション６ｂのメッセージ６ｆは、「自分が何をしたいのか・すべきかを感じましょう。」のメッセージである。
【００５４】
図１９に示すように、このようなカラーボトル１５中のＹｅｌｌｏｗ／イエロー６ａとその色に該当するカラーボトル１５に与えられている「メッセージ」６ｅ及びＹｅｌｌｏｗ／イエロー６ａに該当する色のカーネーション６ｂに与えられているメッセージ６ｆは決定されている。
【００５５】
このようにして、Ｙｅｌｌｏｗ／イエロー６ａに相当するカーネーション６ｂを選択し購入した人は、その日の行動を「自分が何をしたいのか・すべきかを感じましょう。」というメッセージ６ｆに従って行動する。
【００５６】
そのメッセージ６ｆである「自分が何をしたいのか・すべきかを感じましょう。」通りに行動がなされた時には、Ｙｅｌｌｏｗ／イエロー６ａに相当するカーネーションを購入した人の心が癒されるとともに安心感及び満足感が得られることになり、色に基づくセラピーが達成されるのである。
【００５７】
図７は、本発明であるカラーセラピーの手法を示し、Ｏｌｉｖｅ　Ｇｒｅｅｎ／オリーブグリーンの色彩のカーネーションとカラーボトルとの関係を示した図である。
【００５８】
図７に示すように、本発明であるカラーセラピーの手法７は、ある人が、Ｏｌｉｖｅ　Ｇｒｅｅｎ／オリーブグリーン７ａの色彩のカーネーション７ｂを選択した場合には、当該Ｏｌｉｖｅ　Ｇｒｅｅｎ／オリーブグリーン７ａに相当する１０３本の中からカラーボトル７ｃのＮｏ．９１で「Ｆｅｍｉｎｉｎｅ　Ｌｅａｄｅｒｓｈｉｐ／フェミニンリーダーシップ」であるカラーボトル名７ｄを対応させる。
【００５９】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【００６０】
そして、前記カラーボトル７ｃのＮｏ．９１で「Ｆｅｍｉｎｉｎｅ　Ｌｅａｄｅｒｓｈｉｐ／フェミニンリーダーシップ」（図１５〜図１８に示したカラーボトル中の「９１」に該当する。）であるカラーボトル名７ｄを当てはめたカラーボトル７ｃのメッセージ７ｅは、「ハート・平和的な方向性・女性的な直感」である。
【００６１】
そして、Ｏｌｉｖｅ　Ｇｒｅｅｎ／オリーブグリーン７ａのカーネーション７ｂとＮｏ．９１の「Ｆｅｍｉｎｉｎｅ　Ｌｅａｄｅｒｓｈｉｐ／フェミニンリーダーシップ」のカラーボトル名７ｄとがプラスして付加したカーネーション７ｂのメッセージ７ｆは、「心のバランスを取り戻しましょう。」のメッセージである。
【００６２】
図１９に示すように、このようなカラーボトル１５中のＯｌｉｖｅ　Ｇｒｅｅｎ／オリーブグリーン７ａとその色に該当するカラーボトル１５に与えられている「メッセージ」７ｅ及びＯｌｉｖｅ　Ｇｒｅｅｎ／オリーブグリーン７ａに該当する色のカーネーション７ｂに与えられているメッセージ７ｆは決定されている。
【００６３】
このようにして、Ｏｌｉｖｅ　Ｇｒｅｅｎ／オリーブグリーン７ａに相当するカーネーション７ｂを選択し購入した人は、その日の行動を「心のバランスを取り戻しましょう。」というメッセージ７ｆに従って行動する。
【００６４】
そのメッセージ７ｆである「心のバランスを取り戻しましょう。」通りに行動がなされた時には、Ｏｌｉｖｅ　Ｇｒｅｅｎ／オリーブグリーン７ａに相当するカーネーションを購入した人の心が癒されるとともに安心感及び満足感が得られることになり、色に基づくセラピーが達成されるのである。
【００６５】
図８は、本発明であるカラーセラピーの手法を示し、Ｇｒｅｅｎ／グリーンの色彩のカーネーションとカラーボトルとの関係を示した図である。
【００６６】
図８に示すように、本発明であるカラーセラピーの手法８は、ある人が、Ｇｒｅｅｎ／グリーン８ａの色彩のカーネーション８ｂを選択した場合には、当該Ｇｒｅｅｎ／グリーン８ａに相当する１０３本の中からカラーボトル８ｃのＮｏ．１０で「Ｇｏ　Ｈｕｇ　ａ　Ｔｒｅｅ／行って木を抱きなさい」であるカラーボトル名８ｄを対応させる。
【００６７】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【００６８】
そして、前記カラーボトル８ｃのＮｏ．１０で「Ｇｏ　Ｈｕｇ　ａ　Ｔｒｅｅ／行って木を抱きなさい」（図１５〜図１８に示したカラーボトル中の「１０」に該当する。）であるカラーボトル名８ｄを当てはめたカラーボトル８ｃのメッセージ８ｅは、「スペース・調和・ハート・人生を感じること」である。
【００６９】
そして、Ｇｒｅｅｎ／グリーン８ａのカーネーション８ｂとＮｏ．１０の「ＧｏＨｕｇ　ａ　Ｔｒｅｅ／行って木を抱きなさい」のカラーボトル名８ｄとがプラスして付加したカーネーション８ｂのメッセージ８ｆは、「初心に戻って新しく出発しましょう。」のメッセージである。
【００７０】
図１９に示すように、このようなカラーボトル１５中のＧｒｅｅｎ／グリーン８ａとその色に該当するカラーボトル１５に与えられている「メッセージ」８ｅ及びＧｒｅｅｎ／グリーン８ａに該当する色のカーネーション８ｂに与えられているメッセージ８ｆは決定されている。
【００７１】
このようにして、Ｇｒｅｅｎ／グリーン８ａに相当するカーネーション８ｂを選択し購入した人は、その日の行動を「初心に戻って新しく出発しましょう。」というメッセージ８ｆに従って行動する。
【００７２】
そのメッセージ８ｆである「初心に戻って新しく出発しましょう。」通りに行動がなされた時には、Ｇｒｅｅｎ／グリーン８ａに相当するカーネーションを購入した人の心が癒されるとともに安心感及び満足感が得られることになり、色に基づくセラピーが達成されるのである。
【００７３】
図９は、本発明であるカラーセラピーの手法を示し、Ｔｕｒｑｕｏｉｓｅ／ターコイズの色彩のカーネーションとカラーボトルとの関係を示した図である。
【００７４】
図９に示すように、本発明であるカラーセラピーの手法９は、ある人が、Ｔｕｒｑｕｏｉｓｅ／ターコイズ９ａの色彩のカーネーション９ｂを選択した場合には、当該Ｔｕｒｑｕｏｉｓｅ／ターコイズ９ａに相当する１０３本の中からカラーボトル９ｃのＮｏ．４３で「Ｃｒｅａｔｉｖｉｔｙ／クリエイティビティ（創造性）」であるカラーボトル名９ｄを対応させる。
【００７５】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【００７６】
そして、前記カラーボトル９ｃのＮｏ．４３で「Ｃｒｅａｔｉｖｉｔｙ／クリエイティビティ（創造性）」（図１５〜図１８に示したカラーボトル中の「４３」に該当する。）であるカラーボトル名９ｄを当てはめたカラーボトル９ｃのメッセージ９ｅは、「理想主義・メディアコミュニケーション・新しい時代のコミュニケーション」である。
【００７７】
そして、Ｔｕｒｑｕｏｉｓｅ／ターコイズ９ａのカーネーション９ｂとＮｏ．４３の「Ｃｒｅａｔｉｖｉｔｙ／クリエイティビティ（創造性）」のカラーボトル名９ｄとがプラスして付加したカーネーション９ｂのメッセージ９ｆは、「思いのままに心の壁を取り外して自由を感じましょう。」のメッセージである。
【００７８】
図１９に示すように、このようなカラーボトル１５中のＴｕｒｑｕｏｉｓｅ／ターコイズ９ａとその色に該当するカラーボトル１５に与えられている「メッセージ」９ｅ及びＴｕｒｑｕｏｉｓｅ／ターコイズ９ａに該当する色のカーネーション９ｂに与えられているメッセージ９ｆは決定されている。
【００７９】
このようにして、Ｔｕｒｑｕｏｉｓｅ／ターコイズ９ａに相当するカーネーション９ｂを選択し購入した人は、その日の行動を「思いのままに心の壁を取り外して自由を感じましょう。」というメッセージ９ｆに従って行動する。
【００８０】
そのメッセージ９ｆである「思いのままに心の壁を取り外して自由を感じましょう。」通りに行動がなされた時には、Ｔｕｒｑｕｏｉｓｅ／ターコイズ９ａに相当するカーネーションを購入した人の心が癒されるとともに安心感及び満足感が得られることになり、色に基づくセラピーが達成されるのである。
【００８１】
図１０は、本発明であるカラーセラピーの手法を示し、Ｂｌｕｅ／ブルーの色彩のカーネーションとカラーボトルとの関係を示した図である。
【００８２】
図１０に示すように、本発明であるカラーセラピーの手法１０は、ある人が、Ｂｌｕｅ／ブルー１０ａの色彩のカーネーション１０ｂを選択した場合には、当該Ｂｌｕｅ／ブルー１０ａに相当する１０３本の中からカラーボトル１０ｃのＮｏ．２で「Ｐｅａｃｅ／平和」であるカラーボトル名１０ｄを対応させる。
【００８３】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【００８４】
そして、前記カラーボトル１０ｃのＮｏ．２で「Ｐｅａｃｅ／平和」（図１５〜図１８に示したカラーボトル中の「２」に該当する。）であるカラーボトル名１０ｄを当てはめたカラーボトル１０ｃのメッセージ１０ｅは、「平和・コミュニケーション・信頼と信念」である。
【００８５】
そして、Ｂｌｕｅ／ブルー１０ａのカーネーション１０ｂとＮｏ．２の「Ｐｅａｃｅ／平和」のカラーボトル名１０ｄとがプラスして付加したカーネーション１０ｂのメッセージ１０ｆは、「広い空を見上げてみてみましょう。」のメッセージである。
【００８６】
図１９に示すように、このようなカラーボトル１５中のＢｌｕｅ／ブルー１０ａとその色に該当するカラーボトル１５に与えられている「メッセージ」１０ｅ及びＢｌｕｅ／ブルー１０ａに該当する色のカーネーション１０ｂに与えられているメッセージ１０ｆは決定されている。
【００８７】
このようにして、Ｂｌｕｅ／ブルー１０ａに相当するカーネーション１０ｂを選択し購入した人は、その日の行動を「広い空を見上げてみてみましょう。」というメッセージ１０ｆに従って行動する。
【００８８】
そのメッセージ１０ｆである「広い空を見上げてみてみましょう。」通りに行動がなされた時には、Ｂｌｕｅ／ブルー１０ａに相当するカーネーションを購入した人の心が癒されるとともに安心感及び満足感が得られることになり、色に基づくセラピーが達成されるのである。
【００８９】
図１１は、本発明であるカラーセラピーの手法を示し、Ｒｏｙａｌ　Ｂｌｕｅ／ロイヤルブルーの色彩のカーネーションとカラーボトルとの関係を示した図である。
【００９０】
図１１に示すように、本発明であるカラーセラピーの手法１１は、ある人が、Ｒｏｙａｌ　Ｂｌｕｅ／ロイヤルブルー１１ａの色彩のカーネーション１１ｂを選択した場合には、当該Ｒｏｙａｌ　Ｂｌｕｅ／ロイヤルブルー１１ａに相当する１０３本の中からカラーボトル１１ｃのＮｏ．９６で「Ｔｈｅ　Ａｒｃｈａｎｇｅｌ　Ｒａｐｈａｅｌ／大天使ラファエル」であるカラーボトル名１１ｄを対応させる。
【００９１】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【００９２】
そして、前記カラーボトル１１ｃのＮｏ．９６で「Ｔｈｅ　Ａｒｃｈａｎｇｅｌ　Ｒａｐｈａｅｌ／大天使ラファエル」（図１５〜図１８に示したカラーボトル中の「９６」に該当する。）であるカラーボトル名１１ｄを当てはめたカラーボトル１１ｃのメッセージ１１ｅは、「直感・関連性・反映」である。
【００９３】
そして、Ｒｏｙａｌ　Ｂｌｕｅ／ロイヤルブルー１１ａのカーネーション１１ｂとＮｏ．９６の「Ｔｈｅ　Ａｒｃｈａｎｇｅｌ　Ｒａｐｈａｅｌ／大天使ラファエル」のカラーボトル名１１ｄとがプラスして付加したカーネーション１１ｂのメッセージ１１ｆは、「自分がここに生きていることに感謝しましょう。」のメッセージである。
【００９４】
図１９に示すように、このようなカラーボトル１５中のＲｏｙａｌ　Ｂｌｕｅ／ロイヤルブルー１１ａとその色に該当するカラーボトル１５に与えられている「メッセージ」１１ｅ及びＲｏｙａｌ　Ｂｌｕｅ／ロイヤルブルー１１ａに該当する色のカーネーション１１ｂに与えられているメッセージ１１ｆは決定されている。
【００９５】
このようにして、Ｒｏｙａｌ　Ｂｌｕｅ／ロイヤルブルー１１ａに相当するカーネーション１１ｂを選択し購入した人は、その日の行動を「自分がここに生きていることに感謝しましょう。」というメッセージ１１ｆに従って行動する。
【００９６】
そのメッセージ１１ｆである「自分がここに生きていることに感謝しましょう。」通りに行動がなされた時には、Ｒｏｙａｌ　Ｂｌｕｅ／ロイヤルブルー１１ａに相当するカーネーションを購入した人の心が癒されるとともに安心感及び満足感が得られることになり、色に基づくセラピーが達成されるのである。
【００９７】
図１２は、本発明であるカラーセラピーの手法を示し、Ｖｉｏｌｅｔ／バイオレットの色彩のカーネーションとカラーボトルとの関係を示した図である。
【００９８】
図１２に示すように、本発明であるカラーセラピーの手法１２は、ある人が、Ｖｉｏｌｅｔ／バイオレット１２ａの色彩のカーネーション１２ｂを選択した場合には、当該Ｖｉｏｌｅｔ／バイオレット１２ａに相当する１０３本の中からカラーボトル１２ｃのＮｏ．１６で「Ｔｈｅ　Ｖｉｏｌｅｔ　Ｒｏｂｅ／バイオレット・ローブ（菫の衣）」であるカラーボトル名１２ｄを対応させる。
【００９９】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【０１００】
そして、前記カラーボトル１２ｃのＮｏ．１６で「Ｔｈｅ　Ｖｉｏｌｅｔ　Ｒｏｂｅ／バイオレット・ローブ（菫の衣）」（図１５〜図１８に示したカラーボトル中の「１６」に該当する。）であるカラーボトル名１２ｄを当てはめたカラーボトル１２ｃのメッセージ１２ｅは、「癒しの奉仕・奉仕・変容」である。
【０１０１】
そして、Ｖｉｏｌｅｔ／バイオレット１２ａのカーネーション１２ｂとＮｏ．１６の「Ｔｈｅ　Ｖｉｏｌｅｔ　Ｒｏｂｅ／バイオレット・ローブ（菫の衣）」のカラーボトル名１２ｄとがプラスして付加したカーネーション１２ｂのメッセージ１２ｆは、「鏡に映して自分自身を見つめましょう。」のメッセージである。
【０１０２】
図１９に示すように、このようなカラーボトル１５中のＶｉｏｌｅｔ／バイオレット１２ａとその色に該当するカラーボトル１５に与えられている「メッセージ」１２ｅ及びＶｉｏｌｅｔ／バイオレット１２ａに該当する色のカーネーション１２ｂに与えられているメッセージ１２ｆは決定されている。
【０１０３】
このようにして、Ｖｉｏｌｅｔ／バイオレット１２ａに相当するカーネーション１２ｂを選択し購入した人は、その日の行動を「鏡に映して自分自身を見つめましょう。」というメッセージ１２ｆに従って行動する。
【０１０４】
そのメッセージ１２ｆである「鏡に映して自分自身を見つめましょう。」通りに行動がなされた時には、Ｖｉｏｌｅｔ／バイオレット１２ａに相当するカーネーションを購入した人の心が癒されるとともに安心感及び満足感が得られることになり、色に基づくセラピーが達成されるのである。
【０１０５】
図１３は、本発明であるカラーセラピーの手法を示し、Ｍａｇｅｎｔａ／マゼンタの色彩のカーネーションとカラーボトルとの関係を示した図である。
【０１０６】
図１３に示すように、本発明であるカラーセラピーの手法１３は、ある人が、Ｍａｇｅｎｔａ／マゼンタ１３ａの色彩のカーネーション１３ｂを選択した場合には、当該Ｍａｇｅｎｔａ／マゼンタ１３ａに相当する１０３本の中からカラーボトル１３ｃのＮｏ．６７で「Ｄｉｖｉｎｅ　Ｌｏｖｅ，Ｌｏｖｅ　ｉｎ　ｔｈｅ　Ｌｉｔｔｌｅ　Ｔｈｉｎｇｓ／神聖なる愛・小さきことの中の愛」であるカラーボトル名１３ｄを対応させる。
【０１０７】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【０１０８】
そして、前記カラーボトル１３ｃのＮｏ．６７で「Ｄｉｖｉｎｅ　Ｌｏｖｅ，Ｌｏｖｅ　ｉｎ　ｔｈｅ　Ｌｉｔｔｌｅ　Ｔｈｉｎｇｓ／神聖なる愛・小さきことの中の愛」（図１５〜図１８に示したカラーボトル中の「６７」に該当する。）であるカラーボトル名１３ｄを当てはめたカラーボトル１３ｃのメッセージ１３ｅは、「天恵・思いやり・適切さ」である。
【０１０９】
そして、Ｍａｇｅｎｔａ／マゼンタ１３ａのカーネーション１３ｂとＮｏ．６７の「Ｄｉｖｉｎｅ　Ｌｏｖｅ，Ｌｏｖｅ　ｉｎ　ｔｈｅ　Ｌｉｔｔｌｅ　Ｔｈｉｎｇｓ／神聖なる愛・小さきことの中の愛」のカラーボトル名１３ｄとがプラスして付加したカーネーション１３ｂのメッセージ１３ｆは、「自分をいたわり・愛しましょう。」のメッセージである。
【０１１０】
図１９に示すように、このようなカラーボトル１５中のＭａｇｅｎｔａ／マゼンタ１３ａとその色に該当するカラーボトル１５に与えられている「メッセージ」１３ｅ及びＭａｇｅｎｔａ／マゼンタ１３ａに該当する色のカーネーション１３ｂに与えられているメッセージ１３ｆは決定されている。
【０１１１】
このようにして、Ｍａｇｅｎｔａ／マゼンタ１３ａに相当するカーネーション１３ｂを選択し購入した人は、その日の行動を「自分をいたわり・愛しましょう。」というメッセージ１３ｆに従って行動する。
【０１１２】
そのメッセージ１３ｆである「自分をいたわり・愛しましょう。」通りに行動がなされた時には、Ｍａｇｅｎｔａ／マゼンタ１３ａに相当するカーネーションを購入した人の心が癒されるとともに安心感及び満足感が得られることになり、色に基づくセラピーが達成されるのである。
【０１１３】
図１４は、本発明であるカラーセラピーの手法を示し、Ｃｌｅａｒ／白（クリアー）の色彩のカーネーションとカラーボトルとの関係を示した図である。
【０１１４】
図１４に示すように、本発明であるカラーセラピーの手法１４は、ある人が、Ｃｌｅａｒ／白（クリアー）１４ａの色彩のカーネーション１４ｂを選択した場合には、当該Ｃｌｅａｒ／白（クリアー）１４ａに相当する１０３本の中からカラーボトル１４ｃのＮｏ．５４で「Ｓｅｒａｐｉｓ　Ｂａｙ／セラピスベイ」であるカラーボトル名１４ｄを対応させる。
【０１１５】
ここで、１０３本あるカラーボトル１５とは、図１５、図１６、図１７及び図１８に示したボトルである。このカラーボトル１５は、図１５〜図１８に示すように、「０から１０２」までの番号が付されていて、「０から１０２」の色がある。そして、「０から１０２」までのカラーボトル１５には、その色に対応するメッセージがある。
【０１１６】
そして、前記カラーボトル１４ｃのＮｏ．５４で「Ｓｅｒａｐｉｓ　Ｂａｙ／セラピスベイ」（図１５〜図１８に示したカラーボトル中の「５４」に該当する。）であるカラーボトル名１４ｄを当てはめたカラーボトル１４ｃのメッセージ１４ｅは、「明晰性と純水性・光の源・献身の愛」である。
【０１１７】
そして、Ｃｌｅａｒ／白（クリアー）１４ａのカーネーション１４ｂとＮｏ．５４の「Ｓｅｒａｐｉｓ　Ｂａｙ／セラピスベイ」のカラーボトル名１４ｄとがプラスして付加したカーネーション１４ｂのメッセージ１４ｆは、「すべての人が輝き（可能性）を持ち備えています。」のメッセージである。
【０１１８】
図１９に示すように、このようなカラーボトル１５中のＣｌｅａｒ／白（クリアー）１４ａとその色に該当するカラーボトル１５に与えられている「メッセージ」１４ｅ及びＣｌｅａｒ／白（クリアー）１４ａに該当する色のカーネーション１４ｂに与えられているメッセージ１４ｆは決定されている。
【０１１９】
このようにして、Ｃｌｅａｒ／白（クリアー）１４ａに相当するカーネーション１４ｂを選択し購入した人は、その日の行動を「すべての人が輝き（可能性）を持ち備えています。」というメッセージ１４ｆに従って行動する。
【０１２０】
そのメッセージ１４ｆである「すべての人が輝き（可能性）を持ち備えています。」通りに行動がなされた時には、Ｃｌｅａｒ／白（クリアー）１４ａに相当するカーネーションを購入した人の心が癒されるとともに安心感及び満足感が得られることになり、色に基づくセラピーが達成されるのである。
【０１２１】
図１５〜図１８は、本発明であるカラーセラピーの手法に用いるカラーボトルの番号及びそのメッセージを示した図である。カラーセラピーに用いられるカラーボトルには１０２種類の色があり、その１０２種類の色に１つ１つ番号が付されているとともに、その色に合ったカラーボトル名が付されている。
【０１２２】
例えば、本発明であるカラーセラピーの手法１〜１４に該当する各色（番号６、８１、８７、２６、４１、４２、９１、１０、４３、２、９６、１６、６７、５４）には名が付いている。即ち、番号６には「エナジーボトル」との名、番号８１には「無条件の愛」との名、番号８７には「愛の知恵」との名、番号２６には「ハンプティ・ダンプティ」との名、番号４１には「エルドラド（黄金郷）」との名、番号４２には「ハーベスト（収穫」）との名、番号９１には「フェミニンリーダーシップ」との名、番号１０には「行って木を抱きなさい」との名、番号４３には「クリエイティビティ（創造性）」との名、番号２には「平和」との名、番号９６には「大天使ラファエル」との名、番号１６には「バイオレット・ローブ（菫色の衣）」との名、番号６７には「神聖なる愛・小さきことの中の愛」との名、番号５４には「セラピスベイ」との名である。
【０１２３】
図１９は、本発明であるカラーセラピーの手法に用いるカラーボトルのメッセージとカーネーションのメッセージとの関係を示した図である。
【０１２４】
図１９に示すように、カーネーションがＲｅｄ／レッド１ａの場合には、カラーボトルの番号６に対応し、その番号６のカラーボトルのメッセージ１ｅは「情熱・生命・エネルギ−」であり、そしてＲｅｄ／レッド１ａの色であるカーネーションのメッセージ１ｆは「エネルギーを’かたち’に変えましょう」であることを示している。
【０１２５】
図２０は、本発明であるカラーセラピーの手法により決定したカーネーションの花の束を包装するとともに、ＣＤ−ＲＯＭ付きのカーネーションの花の収納ケースに収納しようとしている斜視図である。
【０１２６】
図２０に示すように、本発明であるカラーセラピーの手法１〜１４により決定されたカーネーションの花の束１７を包装紙１８にリボン２０を使用して包装し、収納部１９ａと蓋１９ｂからなる収納ケース１９に収納したカーネーションの花束の販売商品である。
【０１２７】
図２１は、本発明であるカラーセラピーの手法により決定したカーネーションの束を包装し、ＣＤ−ＲＯＭ付きの収納ケースに収納し蓋をした状態の斜視図である。
【０１２８】
図２１に示すように、収納ケース１９の蓋１９ｂの表面には、カード状で小型のＣＤ−ＲＯＭ入れ１９ｃが設けてあり、このＣＤ−ＲＯＭ入れ１９ｃには本発明であるカラーセラピーの手法１〜１４の内容が格納されている。勿論、ＣＤ−ＲＯＭ入れ１９ｃは、蓋１９ｂの内面に設けても良く、また、収納部１９ａの表面又は内面に設けてもよい。
【０１２９】
このカード状のＣＤ−ＲＯＭをパソコンにあるＣＤ−ＲＯＭドライブにセットすると、自動的にコンテンツがスタートし、ナビゲーションに従ってコンテンツが進められる。そして、コンテンツの途中で終了させたい時はＥｓｃキーを押す。コンテンツ終了時、画面上の「Ｑｕｉｔ」ボタン、またはＥｓｃキーを押して終了することができる。
ここで収納ケースに添付するものは、ＣＤ−ＲＯＭ以外のものでも良い。即ち、ＣＤ−ＲＯＭに代わるものとして、ＤＶＤ−ＲＯＭ、或いは説明書等を添付しても構わない。
【０１３０】
図２２は、本発明であるカラーセラピーの手法により決定したカーネーションの束にするために使用するリボンの正面図である。図２２に示すように、リボン２０は、任意模様表示部２０ａとカラーボトル表示部２０ｂと七色表示部２０ｃからなる。
【０１３１】
リボン２０の任意模様表示部２０ａには、図形、商標、花模様等の任意の模様を表示し、カラーボトル表示部２０ｂにはカーネーションの色と一致するカラーボトルの１つ又は複数を表示し、七色表示部２０ｃには七色をアレンジした模様、線等を表示する。
【０１３２】
【発明の効果】
本発明は以上に述べた手法であるから、特定の色彩のカラーボトルと前記特定の色彩のカラーボトルの色合いのカーネーションとを色彩により関係を持たせることにより、如何なる色彩のカーネーションを好み選択するかにより、選択する者のその日の行動、生活態度等を予測することができ、選択する者にとってもその日の行動、生活態度等を選択者が良き方向に向かうようにコントロールすることができ、安らぎを得ることができる。
【０１３３】
また、カラーボトルが有する色彩と、カラーボトルの有する色彩と同一の色彩のカーネーションとの関係を持たせることにより、カーネーション自体又はその他の花の販売を促進させることができる。
【図面の簡単な説明】
【図１】本発明であるカラーセラピーの手法を示し、Ｒｅｄ／レッドの色彩のカーネーションとカラーボトルとの関係を示した図である。
【図２】本発明であるカラーセラピーの手法を示し、Ｐｉｎｋ／ピンクの色彩のカーネーションとカラーボトルとの関係を示した図である。
【図３】本発明であるカラーセラピーの手法を示し、Ｃｏｒａｌ／コーラルの色彩のカーネーションとカラーボトルとの関係を示した図である。
【図４】本発明であるカラーセラピーの手法を示し、Ｏｒａｎｇｅ／オレンジの色彩のカーネーションとカラーボトルとの関係を示した図である。
【図５】本発明であるカラーセラピーの手法を示し、Ｇｏｌｄ／ゴールドの色彩のカーネーションとカラーボトルとの関係を示した図である。
【図６】本発明であるカラーセラピーの手法を示し、Ｙｅｌｌｏｗ／イエローの色彩のカーネーションとカラーボトルとの関係を示した図である。
【図７】本発明であるカラーセラピーの手法を示し、Ｏｌｉｖｅ　Ｇｒｅｅｎ／オリーブグリーンの色彩のカーネーションとカラーボトルとの関係を示した図である。
【図８】本発明であるカラーセラピーの手法を示し、Ｇｒｅｅｎ／グリーンの色彩のカーネーションとカラーボトルとの関係を示した図である。
【図９】本発明であるカラーセラピーの手法を示し、Ｔｕｒｑｕｏｉｓｅ／ターコイズの色彩のカーネーションとカラーボトルとの関係を示した図である。
【図１０】本発明であるカラーセラピーの手法を示し、Ｂｌｕｅ／ブルーの色彩のカーネーションとカラーボトルとの関係を示した図である。
【図１１】本発明であるカラーセラピーの手法を示し、Ｒｏｙａｌ　Ｂｌｕｅ／ロイヤルブルーの色彩のカーネーションとカラーボトルとの関係を示した図である。
【図１２】本発明であるカラーセラピーの手法を示し、Ｖｉｏｌｅｔ／バイオレットの色彩のカーネーションとカラーボトルとの関係を示した図である。
【図１３】本発明であるカラーセラピーの手法を示し、Ｍａｇｅｎｔａ／マゼンタの色彩のカーネーションとカラーボトルとの関係を示した図である。
【図１４】本発明であるカラーセラピーの手法を示し、Ｃｌｅａｒ／白（クリアー）の色彩のカーネーションとカラーボトルとの関係を示した図である。
【図１５】本発明であるカラーセラピーの手法に用いるカラーボトルの番号及びそのメッセージを示した図である。
【図１６】本発明であるカラーセラピーの手法に用いるカラーボトルの番号及びそのメッセージを示した図である。
【図１７】本発明であるカラーセラピーの手法に用いるカラーボトルの番号及びそのメッセージを示した図である。
【図１８】本発明であるカラーセラピーの手法に用いるカラーボトルの番号及びそのメッセージを示した図である。
【図１９】本発明であるカラーセラピーの手法に用いるカラーボトルのメッセージとカーネーションのメッセージとの関係を示した図である。
【図２０】本発明であるカラーセラピーの手法により決定したカーネーションの束を包装し、ＣＤ−ＲＯＭ付きの収納ケースに収納しようとする斜視図である。
【図２１】本発明であるカラーセラピーの手法により決定したカーネーションの束を包装し、ＣＤ−ＲＯＭ付きの収納ケースに収納した状態の斜視図である。
【図２２】本発明であるカラーセラピーの手法により決定したカーネーションの束を包装するリボンの正面図である。
【符号の説明】
１　　　カラーセラピーの手法
１ａ　　Ｒｅｄ／レッド
１ｂ　　カーネーション
１ｃ　　カラーボトル
１ｄ　　カラーボトル名
１ｅ　　カラーボトルのメッセージ
１ｆ　　カーネーションのメッセージ
２　　　カラーセラピーの手法
２ａ　　Ｐｉｎｋ／ピンク
２ｂ　　カーネーション
２ｃ　　カラーボトル
２ｄ　　カラーボトル名
２ｅ　　カラーボトルのメッセージ
２ｆ　　カーネーションのメッセージ
３　　　カラーセラピーの手法
３ａ　　Ｃｏｒａｌ／コーラル
３ｂ　　カーネーション
３ｃ　　カラーボトル
３ｄ　　カラーボトル名
３ｅ　　カラーボトルのメッセージ
３ｆ　　カーネーションのメッセージ
４　　　カラーセラピーの手法
４ａ　　Ｏｒａｎｇｅ／オレンジ
４ｂ　　カーネーション
４ｃ　　カラーボトル
４ｄ　　カラーボトル名
４ｅ　　カラーボトルのメッセージ
４ｆ　　カーネーションのメッセージ
５　　　カラーセラピーの手法
５ａ　　Ｇｏｌｄ／ゴールド
５ｂ　　カーネーション
５ｃ　　カラーボトル
５ｄ　　カラーボトル名
５ｅ　　カラーボトルのメッセージ
５ｆ　　カーネーションのメッセージ
６　　　カラーセラピーの手法
６ａ　　Ｙｅｌｌｏｗ／イエロー
６ｂ　　カーネーション
６ｃ　　カラーボトル
６ｄ　　カラーボトル名
６ｅ　　カラーボトルのメッセージ
６ｆ　　カーネーションのメッセージ
７　　　カラーセラピーの手法
７ａ　　Ｏｌｉｖｅ　Ｇｒｅｅｎ／オリーブグリーン
７ｂ　　カーネーション
７ｃ　　カラーボトル
７ｄ　　カラーボトル名
７ｅ　　カラーボトルのメッセージ
７ｆ　　カーネーションのメッセージ
８　　　カラーセラピーの手法
８ａ　　Ｇｒｅｅｎ／グリーン
８ｂ　　カーネーション
８ｃ　　カラーボトル
８ｄ　　カラーボトル名
８ｅ　　カラーボトルのメッセージ
８ｆ　　カーネーションのメッセージ
９　　　カラーセラピーの手法
９ａ　　Ｔｕｒｑｕｏｉｓｅ／ターコイズ
９ｂ　　カーネーション
９ｃ　　カラーボトル
９ｄ　　カラーボトル名
９ｅ　　カラーボトルのメッセージ
９ｆ　　カーネーションのメッセージ
１０　　カラーセラピーの手法
１０ａ　Ｂｌｕｅ／ブルー
１０ｂ　カーネーション
１０ｃ　カラーボトル
１０ｄ　カラーボトル名
１０ｅ　カラーボトルのメッセージ
１０ｆ　カーネーションのメッセージ
１１　　カラーセラピーの手法
１１ａ　Ｒｏｙａｌ　Ｂｌｕｅ／ロイヤルブルー
１１ｂ　カーネーション
１１ｃ　カラーボトル
１１ｄ　カラーボトル名
１１ｅ　カラーボトルのメッセージ
１１ｆ　カーネーションのメッセージ
１２　　カラーセラピーの手法
１２ａ　Ｖｉｏｌｅｔ／バイオレット
１２ｂ　カーネーション
１２ｃ　カラーボトル
１２ｄ　カラーボトル名
１２ｅ　カラーボトルのメッセージ
１２ｆ　カーネーションのメッセージ
１３　　カラーセラピーの手法
１３ａ　Ｍａｇｅｎｔａ／マゼンタ
１３ｂ　カーネーション
１３ｃ　カラーボトル
１３ｄ　カラーボトル名
１３ｅ　カラーボトルのメッセージ
１３ｆ　カーネーションのメッセージ
１４　　カラーセラピーの手法
１４ａ　Ｃｌｅａｒ／白（クリアー）
１４ｂ　カーネーション
１４ｃ　カラーボトル
１４ｄ　カラーボトル名
１４ｅ　カラーボトルのメッセージ
１４ｆ　カーネーションのメッセージ
１５　　カラーボトル
１６　　カーネーション一色
１７　　カーネーションの花の束
１８　　　　包装紙
１９　　収納ケース
１９ａ　収納部
１９ｂ　蓋
１９ｃ　ＣＤ−ＲＯＭ入れ
２０　　リボン
２１　　ＣＤ−ＲＯＭ
【図１】
2004065573.tif 000003
【図２】
2004065573.tif 000004
【図３】
2004065573.tif 000005
【図４】
2004065573.tif 000006
【図５】
2004065573.tif 000007
【図６】
2004065573.tif 000008
【図７】
2004065573.tif 000009
【図８】
2004065573.tif 000010
【図９】
2004065573.tif 000011
【図１０】
2004065573.tif 000012
【図１１】
2004065573.tif 000013
【図１２】
2004065573.tif 000014
【図１３】
2004065573.tif 000015
【図１４】
2004065573.tif 000016
【図１５】
2004065573.tif 000017
【図１６】
2004065573.tif 000018
【図１７】
2004065573.tif 000019
【図１８】
2004065573.tif 000020
【図１９】
2004065573.tif 000021
【図２０】
2004065573.tif 000022
【図２１】
2004065573.tif 000023
【図２２】
2004065573.tif 000024